(57)【要約】【課題】表示を停止した後、表示を復帰させる場合に、表示の復帰までの時間を短縮する。【解決手段】NVRAM２５は、データの書き換えが可能であり、複数回表示される可能性が高い画像に対応する固定画像データを記憶する。カメラ用制御部２１は、メイン制御部４１から受信した画像データに対応する画像を、表示部２４に表示させる。また、カメラ用制御部２１は、メイン制御部４１から、NVRAM２５に記憶されている固定画像データに対応する画像の表示が指示された場合、その固定画像データに対応する画像を、表示部２４に表示させる。本発明は、例えば、撮像および楽曲や画像の再生を行うデジタルカメラに適用することができる。【選択図】図１
2006133553.tif 000002
【特許請求の範囲】
【請求項１】
外部から画像データを受信する情報処理装置において、
受信した前記画像データである受信画像データに対応する画像を、表示部に表示させる表示制御手段と、
データの書き換えが可能な記憶手段と
を備え、
前記記憶手段は、複数回表示される可能性が高い画像に対応する固定画像データを記憶し、
前記表示制御手段は、さらに、外部から、前記記憶手段に記憶されている固定画像データに対応する画像の表示が指示された場合、その固定画像データに対応する画像を、前記表示部に表示させる
ことを特徴とする情報処理装置。
【請求項２】
前記固定画像データは、アイコン、背景画像、カウンタ画像、またはロゴマークに対応するデータである
ことを特徴とする請求項１に記載の情報処理装置。
【請求項３】
前記表示制御手段は、前記情報処理装置の電源がオンされた場合、直前の前記情報処理装置の電源のオフ時に、前記表示部に表示されていた画像に対応する画像データを、前記受信画像データとして外部から受信し、その受信画像データに対応する画像を表示させる
ことを特徴とする請求項１に記載の情報処理装置。
【請求項４】
複数回表示される可能性が高い画像に対応する固定画像データを記憶する、データの書き換えが可能な記憶手段を有し、外部から画像データを受信する情報処理装置の情報処理方法において、
受信した前記画像データである受信画像データに対応する画像を、表示部に表示させる表示制御ステップ
を含み、
前記表示制御ステップの処理は、さらに、外部から、前記記憶手段に記憶されている固定画像データに対応する画像の表示が指示された場合、その固定画像データに対応する画像を、前記表示部に表示させる
ことを特徴とする情報処理方法。
【請求項５】
外部から画像データを受信する処理を、コンピュータに行わせるプログラムにおいて、
受信した前記画像データである受信画像データに対応する画像を、表示部に表示させる表示制御ステップ
を含み、
前記表示制御ステップの処理は、さらに、外部から、データの書き換えが可能な記憶手段に記憶されている複数回表示される可能性が高い画像に対応する固定画像データに基づく、画像の表示が指示された場合、その固定画像データに対応する画像を、前記表示部に表示させる
ことを特徴とするプログラム。
【請求項６】
外部から画像データを受信する処理を、コンピュータに行わせるプログラムが記録されている記録媒体において、
受信した前記画像データである受信画像データに対応する画像を、表示部に表示させる表示制御ステップ
を含み、
前記表示制御ステップの処理は、さらに、外部から、データの書き換えが可能な記憶手段に記憶されている複数回表示される可能性が高い画像に対応する固定画像データに基づく、画像の表示が指示された場合、その固定画像データに対応する画像を、前記表示部に表示させる
ことを特徴とするプログラムが記録されている記録媒体。
【発明の詳細な説明】
【技術分野】
【０００１】
本発明は、情報処理装置および情報処理方法、プログラム、並びに記録媒体に関し、特に、表示を停止した後、表示を復帰させる場合に、表示の復帰までの時間を短縮することができるようにする情報処理装置および情報処理方法、プログラム、並びに記録媒体に関する。
【背景技術】
【０００２】
例えば、メインCPU(Central Processing Unit)とUI(User Interface)用CPUがシリアルバスで接続されており、UI用CPUで表示を制御するディスプレイの画面切替え制御方式がある（例えば、特許文献１参照）。
【０００３】
また、所定の時間、ユーザにより操作が行われない場合、UI用CPUは、待機状態（予熱モード）の画面を表示し、その後、ユーザにより操作が行われた場合、初期設定画面を表示する表示装置および該表示装置を備えた記録装置がある(例えば、特許文献２参照)。
【０００４】
しかしながら、特許文献１のディスプレイの画面切替え制御方式や、特許文献２の表示装置および該表示装置を備えた記録装置では、UI用CPUが、表示の制御を行うため、表示を行わない場合であっても、表示に関するユーザからの操作の受付などの表示に関する他の動作を行うために、UI用CPUを動作状態(または待機状態)にしておく必要がある。これにより、消費電力が増大する。
【特許文献１】特開平１−２５０９９２号公報
【特許文献２】特開平１１−１６７３７５号公報
【発明の開示】
【発明が解決しようとする課題】
【０００５】
そこで、UI用CPUではなく、メインCPUが、表示の制御を行い、表示を行わない場合、UI用CPUを非動作状態（オフ状態）にして、消費電力を低減することが考えられる。
【０００６】
しかしながら、UI用CPUをオフ状態にする場合、UI用CPUが、オフ状態の直前に表示していた画像の画像データを、メインCPUに送信して記憶させ、表示の復帰時に、メインCPUが、記憶している画像データを、UI用CPUに送信して表示させる必要があり、表示の復帰までに、多くの時間を要する。
【０００７】
本発明は、このような状況に鑑みてなされたものであり、表示を停止した後、表示を復帰させる場合に、表示の復帰までの時間を短縮することができるようにするものである。
【課題を解決するための手段】
【０００８】
本発明の情報処理装置は、受信した画像データである受信画像データに対応する画像を、表示部に表示させる表示制御手段と、データの書き換えが可能な記憶手段とを備え、記憶手段は、複数回表示される可能性が高い画像に対応する固定画像データを記憶し、表示制御手段は、さらに、外部から、記憶手段に記憶されている固定画像データに対応する画像の表示が指示された場合、その固定画像データに対応する画像を、表示部に表示させることを特徴とする。
【０００９】
固定画像データは、アイコン、背景画像、カウンタ画像、またはロゴマークに対応するデータであるようにすることができる。
【００１０】
表示制御手段には、情報処理装置の電源がオンされた場合、直前の情報処理装置の電源のオフ時に、表示部に表示されていた画像に対応する画像データを、受信画像データとして外部から受信し、その受信画像データに対応する画像を表示させることができる。
【００１１】
本発明の情報処理装置の情報処理方法は、受信した画像データである受信画像データに対応する画像を、表示部に表示させる表示制御ステップを含み、表示制御ステップの処理は、さらに、外部から、記憶手段に記憶されている固定画像データに対応する画像の表示が指示された場合、その固定画像データに対応する画像を、表示部に表示させることを特徴とする。
【００１２】
本発明のプログラムは、受信した画像データである受信画像データに対応する画像を、表示部に表示させる表示制御ステップを含み、表示制御ステップの処理は、さらに、外部から、データの書き換えが可能な記憶手段に記憶されている複数回表示される可能性が高い画像に対応する固定画像データに基づく、画像の表示が指示された場合、その固定画像データに対応する画像を、表示部に表示させることを特徴とする。
【００１３】
本発明の記録媒体は、受信した画像データである受信画像データに対応する画像を、表示部に表示させる表示制御ステップを含み、表示制御ステップの処理は、さらに、外部から、データの書き換えが可能な記憶手段に記憶されている複数回表示される可能性が高い画像に対応する固定画像データに基づく、画像の表示が指示された場合、その固定画像データに対応する画像を、表示部に表示させることを特徴とする。
【００１４】
本発明においては、外部から受信した画像データである受信画像データに対応する画像を、表示部に表示させる。また、外部から、データの書き変えが可能な記憶手段に記憶されている複数回表示される可能性が高い画像に対応する固定画像データに基づく、画像の表示が指示された場合、その固定画像データに対応する画像を、表示部に表示させる。
【発明の効果】
【００１５】
本発明によれば、表示を停止した後、表示を復帰させる場合に、表示の復帰までの時間を短縮することができる。
【発明を実施するための最良の形態】
【００１６】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００１８】
請求項１に記載の情報処理装置は、
外部(例えば、図１の記録再生ブロック１２)から画像データを受信する情報処理装置(例えば、図１のカメラブロック１１)において、
受信した前記画像データである受信画像データに対応する画像を、表示部(例えば、図１の表示部２４)に表示させる表示制御手段(例えば、図１のカメラ用制御部２１)と、
データの書き換えが可能な記憶手段(例えば、図１のNVRAM２５)と
を備え、
前記記憶手段は、複数回表示される可能性が高い画像に対応する固定画像データを記憶し、
前記表示制御手段は、さらに、外部から、前記記憶手段に記憶されている固定画像データに対応する画像の表示が指示された場合、その固定画像データに対応する画像を、前記表示部に表示させる（図１３のステップＳ２２５の処理）
ことを特徴とする。
【００１９】
請求項２に記載の情報処理装置は、
前記固定画像データは、アイコン（例えば、図４のアイコンデータ１３１−１と１３１−２）、背景画像（例えば、図４の背景画像データ１３４−１と１３４−２）、カウンタ画像(例えば、図４のカウンタ画像データ１３２)、またはロゴマーク（例えば、図５のロゴマーク１６４）に対応するデータである
ことを特徴とする。
【００２０】
請求項３に記載の情報処理装置は、
前記表示制御手段は、前記情報処理装置の電源がオンされた場合、直前の前記情報処理装置の電源のオフ時に、前記表示部に表示されていた画像に対応する画像データを、前記受信画像データとして外部から受信し、その受信画像データに対応する画像を表示させる（例えば、図１２のステップＳ１８１の処理）
ことを特徴とする。
【００２１】
請求項４に記載の情報処理装置は、
複数回表示される可能性が高い画像に対応する固定画像データを記憶する、データの書き換えが可能な記憶手段（例えば、図１のNVRAM２５）を有し、外部(例えば、図１の記録再生ブロック１２)から画像データを受信する情報処理装置(例えば、図１のカメラブロック１１)の情報処理方法において、
受信した前記画像データである受信画像データに対応する画像を、表示部（例えば、図１の表示部２４）に表示させる表示制御ステップ(例えば、図１２のステップＳ１８１)
を含み、
前記表示制御ステップの処理は、さらに、外部から、前記記憶手段に記憶されている固定画像データに対応する画像の表示が指示された場合、その固定画像データに対応する画像を、前記表示部に表示させる(例えば、図１３のステップＳ２２５の処理)
ことを特徴とする。
【００２２】
請求項５に記載のプログラムおよび請求項６に記載の記録媒体に記録されているプログラムは、
外部（例えば、図１の記録再生ブロック１２）から画像データを受信する処理を、コンピュータに行わせるプログラムにおいて、
受信した前記画像データである受信画像データに対応する画像を、表示部（例えば、図１の表示部２４）に表示させる表示制御ステップ
を含み、
前記表示制御ステップの処理は、さらに、外部から、データの書き換えが可能な記憶手段(例えば、図１のNVRAM５１)に記憶されている複数回表示される可能性が高い画像に対応する固定画像データに基づく、画像の表示が指示された場合、その固定画像データに対応する画像を、前記表示部に表示させる
ことを特徴とする。
【００２３】
以下、図面を参照して、本発明の実施の形態について説明する。
【００２４】
図１は、本発明を適用した記録再生装置の一実施の形態の構成例を示すブロック図である。
【００２５】
図１においては、記録再生装置１とパーソナルコンピュータ（ＰＣ）２とがUSBケーブル３を介して接続され、双方向の通信が可能となっている。
【００２６】
記録再生装置１は、カメラブロック１１と記録再生ブロック１２から構成されている。
【００２７】
カメラブロック１１は、カメラ用制御部２１、撮像部２２、バッファ２３、表示部２４、およびNVRAM（Non Volatile Random Access Memory）２５から構成され、撮像部２２における撮像処理および表示部２４の画像の表示を制御する。
【００２８】
記録再生ブロック１２は、メイン制御部４１、操作部４２、USBI/F（Universal Serial Bus Interface）４３、オーディオ信号処理部４４、オーディオ入出力部４５、スピーカ４６、マイク４７、記録再生部４８、バッファ４９、電源供給部５０、NVRAM５１、およびバッファ５２から構成され、記録再生部４８に装着されたディスク６０に対する画像または楽曲（のデータ）の記録および読み出しを制御する。なお、カメラブロック１１のカメラ用制御部２１と記録再生ブロック１２のメイン制御部４１とは、シリアルバス７１で接続されており、各種のデータが必要に応じて相互に授受可能となされている。
【００２９】
カメラブロック１１のカメラ用制御部２１は、記録再生ブロック１２のメイン制御部４１と接続され、シリアルバス７１を介して、シリアルにデータの送受信を行う。カメラ用制御部２１は、CPUを内蔵しており、メイン制御部４１から、シリアルバス７１を介して送信されてくるコマンドに応じて、各部を制御する。
【００３０】
例えば、カメラ用制御部２１は、メイン制御部４１から、シリアルバス７１を介して送信されてくるコマンドに応じて、撮像部２２を制御し、被写体を撮像する。カメラ用制御部２１は、撮像の結果、撮像部２２から供給される画像データを、バッファ２３に供給する。また、カメラ用制御部２１は、メイン制御部４１から送信されてくるコマンドに応じて、バッファ２３から画像データを読み出し、その画像データに対して、例えば、JPEG（Joint Photographic Experts Group）エンコード処理を行う。そして、カメラ用制御部２１は、エンコード後の画像データを、シリアルバス７１を介して、メイン制御部４１に送信する。
【００３１】
さらに、カメラ用制御部２１は、例えば、メイン制御部４１から送信されてくるコマンドに応じて、メイン制御部４１から送信されてくる画像データを表示部２４に供給したり、NVRAM２５からアイコン、背景画像、カウンタ画像などの、表示部２４に複数回表示される可能性が高い画像のデータ（以下、固定画像データという）を読み出して、表示部２４に供給する。
【００３２】
撮像部２２は、CMOS（Complementary Mental Oxide Semiconductor）やCCD(Charge Coupled Device)などの撮像素子およびAF(Auto Focus)モジュールなどで構成され、被写体にフォーカスして撮像を行い、その結果得られる被写体の画像データをカメラ用制御部２１に供給する。バッファ２３は、カメラ用制御部２１からの画像データを一時的に記憶する。表示部２４は、例えば、液晶ディスプレイから構成され、カメラ用制御部２１からの画像データや固定画像データに対応する画像を表示する。
【００３３】
NVRAM２５は、書き換え可能なメモリであり、固定画像データを記憶している。なお、NVRAM２５に記憶されている固定画像データは、カメラ用制御部２１により、メイン制御部４１から送信されてくるコマンドに応じて、書き換えられる。
【００３４】
記録再生ブロック１２のメイン制御部４１は、CPUが内蔵されており、例えば、操作部４２からの操作信号に応じて、ディスク６０に対する画像データや楽曲データの記録（書き込み）および読み出し、楽曲の再生などのための各種の演算および各部の制御を行う。また、メイン制御部４１は、操作部４２からの操作信号に応じて、コマンドを生成し、シリアルバス７１を介して、カメラブロック１１のカメラ用制御部２１に送信する。
【００３５】
操作部４２は、撮像や画像の表示、または楽曲の再生などの、記録再生装置１に対するユーザの指示を受け付け、その指示を表す操作信号をメイン制御部４１に供給する。USBI/F４３は、メイン制御部４１の制御により、記録再生部４８からの画像や楽曲のデータを、USBケーブル３を介して、ＰＣ２に供給する。また、USBI/F４３には、ＰＣ２から、例えばダウンロードされた画像データや楽曲データが供給され、USBI/F４３は、その画像データや楽曲データを、記録再生部４８に供給する。
【００３６】
オーディオ信号処理部４４は、メイン制御部４１の制御により、オーディオ入出力部４５からの楽曲データに対して、例えば、1-7RLL (1-7 Run-Length Limited coding)変調処理などを行い、記録再生部４８に供給する。また、オーディオ信号処理部４４は、記録再生部４８からの楽曲データに対して、1-7RLL復調処理などを行い、オーディオ入出力部４５に供給する。
【００３７】
オーディオ入出力部４５は、オーディオ信号処理部４４からの楽曲データに対応する音声を、スピーカ４６に供給する。また、オーディオ入出力部４５は、マイク４７からの音声に対応する楽曲データを、オーディオ信号処理部４４に供給する。スピーカ４６は、オーディオ入出力部４５からの音声を外部に出力し、マイク４７は、外部から取得した音声をオーディオ入出力部４５に供給する。
【００３８】
記録再生部４８は、メイン制御部４１の制御により、ディスク６０から読み出した画像データや楽曲データをバッファ４９に供給したり、バッファ４９に記憶されている画像データや楽曲データを、読み出す。なお、ディスク６０としては、光ディスク（ＣＤ（Compact Disc）、DVD（Digital Versatile Disk）など）、光磁気ディスク（MD（Mini-Disc）Hi-MD（Hi-Mini-Disk）（商標）など）、磁気ディスクなどを用いることが可能である。
【００３９】
また、記録再生部４８は、バッファ４９から読み出した楽曲データを、オーディオ信号処理部４４に供給したり、オーディオ信号処理部４４から供給される楽曲データを、ディスク６０に記録する。さらに、記録再生部４８は、バッファ４９から読み出した画像データを、メイン制御部４１に供給したり、メイン制御部４１から供給される画像データを、ディスク６０に記録する。
【００４０】
バッファ４９は、記録再生部４８から供給されるディスク６０から読み出された画像データや楽曲データなどを記憶する。
【００４１】
電源供給部５０は、メイン制御部４１の制御により、カメラブロック１１、または記録再生ブロック１２の各部への電源の供給を制御する。
【００４２】
NVRAM５１は、例えば、NVRAM２５に記憶されている固定画像データに関する情報(以下、固定画像データ関連情報という)などを記憶する。メイン制御部４１は、NVRAM５１から、固定画像データ関連情報を読み出し、その固定画像データ関連情報に基づいて、固定画像データに対応する画像の表示を指令するコマンドを、シリアルバス７１を介して、カメラ用制御部２１に送信する。バッファ５２は、メイン制御部４１の処理に用いられる各種のデータを、必要に応じて、一時的に記憶する。
【００４３】
以上のように構成される記録再生装置１では、NVRAM２５が、固定画像データを記憶し、カメラ用制御部２１が、メイン制御部４１からシリアルバス７１を介して送信されてくるコマンドに応じて、NVRAM２５に記憶されている固定画像データに対応する画像を、表示部２４に表示させたり、メイン制御部４１から送信されてくる画像データに対応する画像を、表示部２４に表示させる。また、カメラ用制御部２１は、メイン制御部４１から送信されてくるコマンドに応じて、撮像した結果得られる画像データを、メイン制御部４１に送信し、メイン制御部４１が、その画像データを、ディスク６０に記録させる。さらに、メイン制御部４１は、ディスク６０に記録されている楽曲データに対応する音声を、スピーカ４６から出力させる。
【００４４】
図２は、図１のカメラ用制御部２１とメイン制御部４１の詳細構成例を示している。
【００４５】
カメラ用制御部２１は、シリアルI/F８１、DMA（Direct Memory Access）バッファ８２、ポート８３、および電源回路８４から構成される。また、メイン制御部４１は、シリアルI/F９１、DMAバッファ９２、およびポート９３から構成される。
【００４６】
カメラ用制御部２１のシリアルI/F８１と、メイン制御部４１のシリアルI/F９１とは、メイン制御部４１にクロックを送信するクロックバス１０１と、データを送受信するデータバス１０２とで構成されているシリアルバス７１（図１）を介して接続されている。
【００４７】
シリアルI/F８１は、クロックバス１０１を介して、図示せぬクロック生成部で生成された所定のクロックの信号（SCK信号）を、メイン制御部４１のシリアルI/F９１に送信する。また、シリアルI/F８１は、データバス１０２を介して、シリアルI/F９１とシリアル通信を行い、パケット化したデータ（C_SIO）を送受信する。シリアルI/F８１は、クロックバス１０１を介して、図示せぬクロック生成部で生成された所定のクロックの信号（SCK信号）を、制御部４１のシリアルI/F９１に送信する。また、シリアルI/F８１は、データバス１０２を介して、シリアルI/F９１とシリアル通信を行い、パケット化したデータ（C_SIO）を送受信する。
【００４８】
さらに、シリアルI/F８１は、シリアル通信を行うデータを、必要に応じてDMAバッファ８２に供給し、記憶させる。シリアルI/F９１は、シリアルI/F８１と同様に、シリアル通信を行うデータを、必要に応じてDMAバッファ９２に供給し、記憶させる。
【００４９】
ポート８３とポート９３とは、割り込み(Interruption)線１０３乃至１０８、並びに制御線１０９と１１０を介して、接続されている。
【００５０】
カメラ用制御部２１とメイン制御部４１は、例えば、シリアルバス７１によるシリアル通信の確立を要求するとき、割り込み線１０４または１０３により、REQ(リクエスト)信号を送信する。
【００５１】
即ち、REQ信号（Drive_REQ）が、メイン制御部４１（のポート９３）から、カメラ用制御部２１（のポート８３）に、割り込み線１０３により送信される。また、REQ信号（Camera_REQ）が、カメラ用制御部２１からメイン制御部４１に、割り込み線１０４により送信される。
【００５２】
カメラ用制御部２１とメイン制御部４１は、相手から送信されてくるデータを正常に受信した場合、割り込み線１０６または１０５を介して、その相手にACK（acknowledgement）信号を送信し、相手から送信されてくるデータを正常に受信しない場合、割り込み線１０８または１０７を介して、その相手にNACK（Negative acknowledgement）信号を送信する。
【００５３】
即ち、メイン制御部４１からのACK信号（Drive_ACK）は、割り込み線１０５を介してカメラ用制御部２１に送信され、カメラ用制御部２１からのACK信号（Camera_ACK）は、割り込み線１０６を介してメイン制御部４１に送信される。また、メイン制御部４１からのNACK信号（Drive_NACK）は、割り込み線１０７を介してカメラ用制御部２１に送信され、カメラ用制御部２１からのNACK信号（Camera_NACK）は、割り込み線１０８を介してメイン制御部４１に送信される。
【００５４】
制御線１０９では、カメラブロック１１の初期化を指示するRESET信号が、メイン制御部４１から、カメラ用制御部２１に送信され、制御線１１０では、カメラブロック１１の電源のオンを指示するWAKE信号が、メイン制御部４１から、カメラ用制御部２１に送信される。
【００５５】
電源回路８４には、電源供給部５０から電源（POWER）が供給される。メイン制御部４１から、制御線１１０を介して、WAKE信号が供給された場合、電源回路８４は、カメラブロック１１の各部への電源の供給を開始する。
【００５６】
次に、図３を参照して、カメラブロック１１（のカメラ用制御部２１）と記録再生ブロック１２（のメイン制御部４１）との間のシリアル通信によるデータの授受を説明する。
【００５７】
記録再生ブロック１２のメイン制御部４１は、カメラブロック１１に対して動作（処理）を指示（要求）するコマンドをパケット化したコマンドパケットを、シリアルバス７１のデータバス１０２（図２）を介して、カメラ用制御部２１に送信する。このとき、メイン制御部４１は、必要に応じて、コマンドパケットに伴い、所定のデータをパケット化したコマンドデータパケットを、カメラ用制御部２１に送信することが可能である。
【００５８】
カメラ用制御部２１は、メイン制御部４１からデータバス１０２を介して送信されてくるコマンドパケットに対応する処理を行う。
【００５９】
そして、カメラ用制御部２１は、メイン制御部４１からのコマンドパケットに対応する処理(動作)の終了(完了)後、処理の終了を通知するリザルトをパケット化したリザルトパケットを、データバス１０２を介して、メイン制御部４１に送信する。このとき、カメラ用制御部２１は、メイン制御部４１と同様に、必要に応じて、リザルトパケットに伴い、所定のデータをパケット化したリザルトデータパケットを、メイン制御部４１に送信することが可能である。
【００６０】
例えば、メイン制御部４１は、カメラブロック１１の撮像部２２に、被写体を撮像させる場合、撮像とその撮像した結果得られる画像データの送信とを指示するコマンドパケット(以下、撮像送信コマンドパケットという)を、カメラ用制御部２１に送信する。カメラ用制御部２１は、その撮像送信コマンドパケットに対応する処理として、撮像部２２を制御して、被写体の撮像を行う。そして、カメラ用制御部２１は、被写体の撮像後、その処理の終了を通知するリザルトパケットをメイン制御部４１に送信し、それに伴い、撮像した結果得られる画像データをリザルトデータパケットとして、メイン制御部４１に送信する。メイン制御部４１は、そのリザルトデータパケットに格納された画像データを、記録再生部４８に供給し、ディスク６０に記録させる(書き込む)。
【００６１】
また、メイン制御部４１は、記録再生部４８によりディスク６０から読み出されてバッファ４９（図１）に記憶されている画像データを、表示部２４に表示させる場合、自分自身に伴って送信されてくる画像データに対応する画像の表示部２４への表示を指示するコマンドパケット（以下、送信画像表示コマンドパケットという）をカメラ用制御部２１に送信し、それに伴い、バッファ４９から読み出した画像データをコマンドデータパケットとして送信する。カメラ用制御部２１は、その送信画像表示コマンドパケットに対応する処理として、コマンドデータパケットの画像データに対応する画像を、表示部２４に表示させ、その処理の終了を通知するリザルトパケットを、メイン制御部４１に送信する。
【００６２】
次に、図４を参照して、カメラ用制御部２１がNVRAM２５に記憶されている固定画像データを、表示部２４に表示する処理について説明する。
【００６３】
記録再生ブロック１２のメイン制御部４１は、NVRAM５１に記憶されている固定画像データ関連情報に基づいて、表示対象の固定画像データが記憶されているNVRAM２５上のアドレスなどを指定し、その固定画像データに対応する画像の表示を指示するコマンドパケット（以下、NVRAM画像表示コマンドパケットという）を、データバス１０２（図２）を介して、カメラ用制御部２１に送信する。
【００６４】
なお、図４では、NVRAM２５に、固定画像データとして、アイコンに対応するアイコンデータ１３１−１と１３１−２、楽曲の曲番号や楽曲の再生時間などを表す画像に対応するカウンタ画像データ１３２、文字のフォントに関するデータであるフォントデータ１３３、並びに背景画像に対応する背景画像データ１３４−１と１３４−２が記憶されている。
【００６５】
カメラ用制御部２１は、メイン制御部４１からのNVRAM画像表示コマンドパケットに応じて、NVRAM２５から表示対象の固定画像データを読み出し、その固定画像データに対応する画像を、表示部２４に表示させる。
【００６６】
例えば、メイン制御部４１から、アイコンデータ１３１−１が記憶されているNVRAM２５上のアドレスなどを指定し、そのアイコンデータ１３１−１の表示を指示するNVRAM画像表示コマンドパケットが供給される場合、カメラ用制御部２１は、NVRAM２５からアイコンデータ１３１−１を読み出し、アイコンデータ１３１−１に対応するアイコンを、表示部２４に表示させる。
【００６７】
図５は、図１の記録再生ブロック１２でディスク６０に記録されている楽曲のデータが再生されている場合に、カメラブロック１１の表示部２４に表示される画像の例を示している。
【００６８】
図５では、記録再生ブロック１２のメイン制御部４１が、送信画像表示コマンドパケットに伴って、曲名(例えば、図５の例では、「雨の華」)１５１やアーティスト名（図５の例では、「田島  美嘉」）１５２の画像データをコマンドデータパケットとして、カメラ用制御部２１に送信し、カメラ用制御部２１が、その送信画像表示コマンドパケットに対応する処理として、コマンドデータパケットに対応する曲名１５１やアーティスト名１５２を、表示部２４に表示している。
【００６９】
また、図５では、NVRAM２５に、背景画像１６１、楽曲の番号（図５の例では、「００１」）を表すカウンタ画像１６２−１、楽曲の再生時間(図５の例では、「０３：４５（３分４５秒）」)を表すカウンタ画像１６２−２、アイコン１６３−１乃至１６３−８、ロゴマーク１６４、プログレスバーの枠（の画像）１６５、およびジャケット写真のサンプル画像１６６に対応する固定画像データが、記憶されている。メイン制御部４１は、これらの固定画像データに対応する画像の表示を指示するNVRAM画像表示コマンドパケットを送信する。カメラ用制御部２１は、そのNVRAM画像表示コマンドパケットに応じて、固定画像データに対応する画像を、表示部２４に表示している。
【００７０】
ここで、メイン制御部４１は、プログレスバーの枠１６５が記憶されているNVRAM２５上のアドレスのほかに、プログレスバーの位置および長さを指定するNVRAM画像表示コマンドパケットを送信することにより、プログレスバーの枠１６５内に、所望の長さのプログレスバーを表示させる。
【００７１】
図６は、図１のカメラブロック１１の撮像部２２で被写体を撮像する場合に、表示部２４に表示される画像の例を示している。
【００７２】
図６では、記録再生ブロック１２のメイン制御部４１が、被写体の撮像およびその撮像の結果得られる画像の表示部２４への表示を指示するコマンドパケット(以下、撮像表示コマンドパケットという)を、カメラ用制御部２１に送信し、カメラ用制御部２１が、その撮像表示コマンドパケットに対応する処理として、撮像部２２（図１）を制御して、被写体を撮像し、その撮像の結果得られる画像１８１を、表示部２４に表示させている。
【００７３】
また、図６では、NVRAM２５に、アイコン１８２−１乃至１８２−２０、文字列１８３−１乃至１８３−６、並びに方向１８４ａと１８４ｂ、バーの枠１８４ｃ、およびサム１８４ｄから構成されるズーム倍率（を表す画像）１８４に対応する固定画像データが、記憶されている。メイン制御部４１は、これらの固定画像データに対応する画像の表示を指示するNVRAM画像表示コマンドパケットを送信する。カメラ用制御部４１は、そのNVRAM画像表示コマンドパケットに応じて、固定画像データに対応する画像を、表示部２４に表示している。
【００７４】
ここで、メイン制御部４１は、図５で説明したプログレスバーと同様に、ズーム倍率１８４が記憶されているNVRAM２５上のアドレスのほかに、サム１８４ｄの位置を指定するNVRAM画像表示コマンドパケットを送信することにより、バーの枠１８４ｃの中の所望の位置にサム１８４ｄを表示させる。
【００７５】
図７は、図１のNVRAM２５に記憶されている固定画像データのフォーマットの例を示している。
【００７６】
図７では、アイコンデータ１８１、アニメーション画像に対応するアニメーション画像データ１８２、および背景画像データ１８３が、固定画像データとして、NVRAM２５に記憶されている。
【００７７】
図７に示すように、アイコンデータ１８１は、アイコンデータ１８１のデータサイズ１９１、アイコンデータ１８１に対応するアイコンの画枠サイズ１９２、アイコンデータ１８１に対応するアイコンを表示するレイヤ１９３、およびアイコンデータ１８１に対応するアイコンの画像データ１９４から構成される。
【００７８】
また、アニメーション画像データ１８２は、アニメーション画像データ１８２のデータサイズ１９５、アニメーション画像データ１８２に対応するアニメーション画像の画枠サイズ１９６、アニメーション画像データ１８２を構成するフレームの数であるフレーム数１９７、およびアニメーション画像データ１８２に対応するアニメーション画像の画像データ１９８から構成される。
【００７９】
さらに、背景画像データ１８３は、背景画像データ１８３のデータサイズ１９９と背景画像データ１８３に対応する背景画像の画像データ２００から構成される。
【００８０】
図８は、図１のNVRAM５１に記憶されている固定画像データ関連情報の例を示している。
【００８１】
図８では、図７のアイコンデータ１８１に関連する固定画像データ関連情報２１１、アニメーション画像データ１８２に関連する固定画像データ関連情報２１２、および背景画像データ１８３に関連する固定画像データ関連情報２１３が、NVRAM５１に記憶されている。
【００８２】
図８に示すように、固定画像データ関連情報２１１乃至２１３は、「先頭アドレス」、「属性」、「表示位置」、「表示開始フレーム番号」、「表示終了フレーム番号」、「フレームの更新間隔」、および「表示繰り返し回数」という項目に対応する情報（のデータ）から構成される。
【００８３】
項目「先頭アドレス」に対応する情報は、対応する固定画像データが記憶されているNVRAM２５（図１）上の先頭アドレスを表し、項目「属性」に対応する情報は、固定画像データの属性を表している。また、項目「表示位置」に対応する情報は、固定画像データに対応する画像を表示する表示部２４上の位置を表し、項目「表示開始フレーム番号」と項目「表示終了フレーム番号」は、複数のフレームからなる固定画像データにおいて、表示を開始するフレームのフレーム番号と、表示を終了するフレームのフレーム番号とをそれぞれ表している。
【００８４】
さらに、項目「フレームの更新間隔」は、複数のフレームからなる固定画像データにおいて、表示対象のフレームを、いまのフレームから、次のフレームに更新するまでの時間を表し、項目「表示繰り返し回数」は、複数のフレームからなる固定画像データにおいて、項目「表示開始フレーム番号」に対応するフレームから、項目「表示終了フレーム番号」に対応するフレームまでの表示を、繰り返す回数を表している。
【００８５】
例えば、固定画像データ関連情報２１１においては、項目「先頭アドレス」に対応する情報が、「００００」であるので、対応する固定画像データであるアイコンデータ１８１が記憶されているNVRAM２５上の先頭アドレスは「００００」である。また、項目「属性」に対応する情報が、「カメラ−アイコン」であるので、アイコンデータ１８１の属性は、カメラブロック１１における撮像に関するアイコンである。さらに、項目「表示位置」に対応する情報が、「0,32」であるので、アイコンデータ１８１に対応するアイコンを表示する表示部２４上の位置が、例えば表示部２４の横方向をＸ軸の方向、縦方向をＹ軸の方向としたときの座標（0,32）である。
【００８６】
ここで、アイコンデータ１８１は、１つのフレームから構成される。従って、固定画像データ関連情報２１１においては、項目「表示開始フレーム番号」、「表示終了フレーム番号」、「フレームの更新間隔」、および「表示繰り返し回数」に対応する情報がない。
【００８７】
アイコンデータ１８１に対応するアイコンを表示部２４に表示させる場合、メイン制御部４１は、NVRAM５１に記憶されている固定画像データ関連情報２１１に基づいて、NVRAM２５上に記憶されているアイコンデータ１８１の先頭アドレスである「００００」と、表示位置の座標(0,32)を指定するNVRAM画像表示コマンドパケットを生成し、カメラ用制御部２１に送信する。
【００８８】
カメラ用制御部２１は、そのNVRAM画像表示コマンドパケットに応じて、NVRAM２５から先頭アドレスが「００００」の画像データであるアイコンデータ１８１を読み出し、図７のデータサイズ１９１、画枠サイズ１９２、およびレイヤ１９３、並びにNVRAM画像表示コマンドパケットで指定されている表示位置に基づいて、アイコンデータ１８１の画像データ１９４に対応するアイコンを、表示部２４に表示させる。
【００８９】
また、図８に示すように、固定画像データ関連情報２１２においては、項目「先頭アドレス」に対応する情報が、「００５０」であるので、対応する固定画像データであるアニメーション画像データ１８２が記憶されているNVRAM２５上の先頭アドレスは「００５０」である。また、項目「属性」に対応する情報が、「オーディオ−アニメーション」であるので、アニメーション画像データ１８２の属性は、楽曲の再生に関するアニメーション画像である。さらに、項目「表示位置」に対応する情報が、「0,30」であるので、アニメーション画像データ１８２に対応するアニメーション画像を表示する表示部２４上の位置が、例えば表示部２４の横方向をＸ軸の方向、縦方向をＹ軸の方向としたときの座標（0,30）である。
【００９０】
ここで、アニメーション画像データ１８２は、複数のフレームから構成される。従って、固定画像データ関連情報２１２においては、項目「表示開始フレーム番号」と「表示終了フレーム番号」、「フレームの更新間隔」、および「表示繰り返し回数」に対応する情報がある。アニメーション画像データ２１２では、項目「表示開始フレーム番号」と「表示終了フレーム番号」に対応する情報が、それぞれ「１」と「５」であるので、アニメーション画像データ１８２の表示を開始するフレームのフレーム番号が「１」であり、表示を終了するフレームのフレーム番号が「５」である。なお、以下では、フレーム番号がｉのフレームをフレーム＃ｉという。
【００９１】
また、項目「フレームの更新間隔」に対応する情報が、「１」であるので、アニメーション画像データ１８２の表示対象のフレームを、いまのフレームから、次のフレームに更新するまでの時間が１秒であり、項目「表示繰り返し回数」が、「３」であるので、アニメーション画像データ１８２のフレーム＃１からフレーム＃５までが、３回繰り返して表示される。
【００９２】
アニメーション画像データ１８２に対応するアニメーション画像を表示部２４に表示させる場合、メイン制御部４１は、NVRAM５１に記憶されている固定画像データ関連情報２１２に基づいて、NVRAM２５上に記憶されているアニメーション画像データ１８２の先頭アドレスである「００５０」、表示位置の座標(0,30)、表示開始フレーム番号である「１」、表示終了フレーム番号である「５」、フレームの更新間隔である「１秒」、および表示繰り返し回数である「３回」を指定するNVRAM画像表示コマンドパケットを生成し、カメラ用制御部２１に送信する。
【００９３】
カメラ用制御部２１は、そのNVRAM画像表示コマンドパケットに応じて、NVRAM２５から先頭アドレスが「００５０」の画像データであるアニメーション画像データ１８２を読み出し、データサイズ１９５、画枠サイズ１９６、およびフレーム数１９７、並びにNVRAM画像表示コマンドパケットにより指定されている表示位置、表示開始フレーム番号、表示終了フレーム番号、フレームの更新間隔、および表示繰り返し回数に基づいて、アニメーション画像データ１８２に対応するアニメーション画像を、表示部２４に表示させる。
【００９４】
さらに、図８に示すように、固定画像データ関連情報２１３においては、項目「先頭アドレス」に対応する情報が、「０１００」であるので、対応する固定画像データである背景画像データ１８３が記憶されているNVRAM２５上の先頭アドレスは「０１００」である。また、項目「属性」に対応する情報が、「オーディオ−画像」であるので、背景画像データ１８３の属性が、楽曲の再生に関する画像である。さらに、項目「表示位置」に対応する情報が、「0,30」であるので、背景画像データ１８３に対応する背景画像を表示する表示部２４上の位置が、例えば表示部２４の横方向をＸ軸の方向、縦方向をＹ軸の方向としたときの座標（0,30）である。
【００９５】
ここで、背景画像データ１８３は、１つのフレームから構成される。従って、固定画像データ関連情報２１１においては、項目「表示開始フレーム番号」と「表示終了フレーム番号」、「フレームの更新間隔」、および「表示繰り返し回数」に対応する情報がない。
【００９６】
背景画像データ１８３に対応する背景画像を表示部２４に表示させる場合、メイン制御部４１は、NVRAM５１に記憶されている固定画像データ関連情報２１３に基づいて、NVRAM２５上に記憶されている背景画像データ１８３の先頭アドレスである「０１００」と、表示位置の座標座標(0,30)とを指定するNVRAM画像表示コマンドパケットを生成し、カメラ用制御部２１に送信する。
【００９７】
カメラ用制御部２１は、そのNVRAM画像表示コマンドパケットに応じて、NVRAM２５から先頭アドレスが「０１００」の画像データである背景画像データ１８３を読み出し、データサイズ１９９、およびNVRAM画像表示コマンドパケットで指定されている表示位置に基づいて、背景画像１８２に対応する背景画像を表示部２４に表示させる。
【００９８】
次に、図９を参照して、図１の記録再生装置１が、カメラブロック１１の表示部２４に表示されている画像の画像データを、記録再生ブロック１２のディスク６０に記録する記録処理を説明する。この記録処理は、例えば、ユーザが操作部４２の操作を所定の時間行わないとき、開始される。
【００９９】
ステップＳ１１において、メイン制御部４１（のポート９３）は、シリアルバス７１（図１）によるシリアル通信の確立を要求するために、REQ信号を、割り込み線１０３（図２）を介してカメラ用制御部２１に送信する。
【０１００】
ステップＳ３１において、カメラ用制御部２１（のポート８３）は、ステップＳ１１でメイン制御部４１から送信されてくるREQ信号を受信し、ステップＳ３２に進む。ステップＳ３２において、カメラ用制御部２１は、割り込み線１０６を介して、ACK信号をメイン制御部４１に送信し、ステップＳ３３に進む。なお、カメラ用制御部２１は、REQ信号を正常に受信しない場合、割り込み線１０８を介して、NACK信号をメイン制御部４１に送信する。
【０１０１】
ステップＳ１２において、メイン制御部４１は、ステップＳ３２でカメラ用制御部２１から送信されてくるACK信号を受信し、ステップＳ１３に進む。ステップＳ１３において、メイン制御部４１は、割り込み線１０５を介して、ACK信号をカメラ用制御部２１に送信し、ステップＳ１４に進む。なお、カメラ用制御部２１からNACK信号が送信された場合、メイン制御部４１は、エラー処理を行う。例えば、メイン制御部４１は、ステップＳ１１に戻り、再度REQ信号を送信する。
【０１０２】
ステップＳ３３において、カメラ用制御部２１は、ステップＳ１３でメイン制御部４１から送信されてくるACK信号を受信し、ステップＳ３４に進む。ステップＳ３４において、シリアルバス７１のクロックバス１０１を介して、図示せぬクロック生成部で生成されたSCK信号のメイン制御部４１への送信を開始し、ステップＳ３５に進む。
【０１０３】
ステップＳ１４において、メイン制御部４１は、ステップＳ３４でカメラ用制御部２１から送信されてくるSCK信号を受信しながら、ステップＳ１５において、そのSCK信号に同期して、いま表示部２４に表示している画像の画像データのうち、固定画像データ以外の画像データをメイン制御部４１に送信するように指示するコマンドパケット(以下、画像送信コマンドパケットという)を、シリアルバス７１のデータバス１０２を介して、カメラ用制御部２１に送信し、ステップＳ１６に進む。
【０１０４】
ステップＳ３５において、カメラ用制御部２１は、ステップＳ１５でメイン制御部４１から送信されてくる画像送信コマンドパケットを、SCK信号に同期して受信し、SCK信号のメイン制御部４１への送信を終了する。ステップＳ３５の処理後は、ステップＳ３６に進み、ACK信号を、割り込み線１０６を介して、メイン制御部４１に送信し、ステップＳ３７に進む。
【０１０５】
ステップＳ１６において、メイン制御部４１は、ステップＳ３６でカメラ用制御部２１から送信されてくるACK信号を受信し、ステップＳ１７に進む。
【０１０６】
ステップＳ３７において、カメラ用制御部２１は、シリアルバス７１によるシリアル通信の確立を要求するために、REQ信号を、割り込み線１０４を介してメイン制御部４１に送信し、ステップＳ３８に進む。
【０１０７】
ステップＳ１７において、メイン制御部４１は、ステップＳ３７でカメラ用制御部２１から送信されてくるREQ信号を受信し、ステップＳ１８に進む。ステップＳ１８において、メイン制御部４１は、ACK信号を、割り込み線１０５を介してカメラ用制御部２１に送信し、ステップＳ１９に進む。
【０１０８】
ステップＳ３８において、カメラ用制御部２１は、ステップＳ１８でメイン制御部４１から送信されてくるACK信号を受信し、ステップＳ３９に進む。ステップＳ３９において、カメラ用制御部２１は、クロックバス１０１を介して、メイン制御部４１へのSCK信号の送信を開始し、ステップＳ４０に進む。
【０１０９】
ステップＳ４０において、カメラ用制御部２１は、画像送信コマンドパケットに対応する処理として、いま表示部２４に表示している画像の画像データのうち、固定画像データ以外の画像データをメイン制御部４１に送信する処理を終了したことを表すリザルトパケットを、SCK信号に同期して、データバス１０２を介して、メイン制御部４１に送信する。
【０１１０】
ステップＳ１９において、メイン制御部４１は、ステップＳ３９でカメラ用制御部２１から送信されてくるSCK信号を受信しながら、ステップＳ２０において、そのSCK信号に同期して、ステップＳ４０でカメラ用制御部２１から送信されてくるリザルトパケットを受信し、ステップＳ２１に進む。ステップＳ２１において、メイン制御部４１は、ACK信号を、割り込み線１０５を介して、カメラ用制御部２１に送信し、ステップＳ２２に進む。
【０１１１】
ステップＳ４１において、カメラ用制御部２１は、ステップＳ２１でメイン制御部４１から送信されてくるACK信号を受信し、SCK信号のメイン制御部４１への送信を終了して、ステップＳ４２に進む。ステップＳ４２において、カメラ用制御部２１は、クロックバス１０１を介して、メイン制御部４１へのSCK信号の送信を開始し、ステップＳ４３に進む。
【０１１２】
ステップＳ４３において、カメラ用制御部２１は、いま表示部２４に表示している画像の画像データのうち、固定画像データ以外の画像データをパケット化したリザルトデータパケット（以下、画像リザルトデータパケットという）を、データバス１０２を介して、メイン制御部４１に送信する。即ち、カメラ用制御部２１は、リザルトパケットに伴い、画像リザルトデータパケットを、メイン制御部４１に送信する。
【０１１３】
ステップＳ２２において、メイン制御部４１は、ステップＳ４３でカメラ用制御部２１から送信されてくるSCK信号を受信しながら、ステップＳ２３において、そのSCK信号に同期して、ステップＳ４３でカメラ用制御部２１から送信されてくる画像リザルトデータパケットを受信する。そして、メイン制御部４１は、その画像リザルトデータパケットの画像データを、記録再生部４８を介して、ディスク６０に記録する。
【０１１４】
ステップＳ４３の処理後は、ステップＳ４４に進み、カメラ用制御部２１は、SCK信号のメイン制御部４１への送信を終了し、すべてを送信したかどうか、即ちいま表示部２４に表示している画像の画像データのうち、固定画像データ以外のすべての画像データに対応する画像リザルトデータパケットを送信したかどうかを判定する。
【０１１５】
ステップＳ４４において、すべてを送信していないと判定された場合、カメラ用制御部２１は、ステップＳ４１に戻り、上述した処理を繰り返す。一方、すべてを送信したと判定された場合、カメラ用制御部２１は、処理を終了する。
【０１１６】
ステップＳ２３の処理後は、ステップＳ２４に進み、メイン制御部４１は、すべてを受信したかどうか、即ちいま表示部２４に表示している画像の画像データのうち、固定画像データ以外のすべての画像データに対応する画像リザルトデータパケットを受信したかどうかを判定する。
【０１１７】
例えば、ステップＳ４３でカメラ用制御部２１から送信されてくる画像リザルトデータパケットには、いま表示部２４に表示している画像の画像データのうち、固定画像データ以外のすべての画像データに対応する画像リザルトデータパケットのパケット数が付加されており、メイン制御部４１は、その付加されたパケット数と、受信したパケットの数を比較し、受信したパケットの数が、付加されたパケット数に等しくなるまで、すべてを受信していないと判定する。そして、メイン制御部４１は、受信したパケットの数が、付加されたパケット数に等しくなったとき、すべてを受信したと判定する。
【０１１８】
ステップＳ２４において、すべてを受信していないと判定された場合、メイン制御部４１は、ステップＳ２１に戻り、上述した処理を繰り返す。一方、すべてを受信したと判定された場合、メイン制御部４１は、処理を終了する。
【０１１９】
次に、図１０を参照して、図１の記録再生装置１が、図９の記録処理後にカメラブロック１１の電源をオフにする電源オフ処理を説明する。
【０１２０】
ステップＳ５１乃至Ｓ５４の処理、およびステップＳ７１乃至Ｓ７４の処理は、それぞれ、図９のステップＳ１１乃至Ｓ１４の処理、およびステップＳ３１乃至Ｓ３４の処理と同様であるので、説明は省略する。
【０１２１】
ステップＳ５５において、メイン制御部４１は、カメラブロック１１の電源のオフを指示するコマンドパケット(以下、電源オフコマンドパケットという)を、SCK信号に同期して、シリアルバス７１のデータバス１０２を介して、カメラ用制御部２１に送信し、ステップＳ５６に進む。
【０１２２】
ステップＳ７５において、カメラ用制御部２１は、ステップＳ５５でメイン制御部４１から送信されてくる電源オフコマンドパケットを、SCK信号に同期して受信し、SCK信号のメイン制御部４１への送信を終了して、ステップＳ７６に進む。ステップＳ７６において、カメラ用制御部２１は、ACK信号を、割り込み線１０６を介して、メイン制御部４１に送信し、ステップＳ７７に進む。ステップＳ７７において、カメラ用制御部２１（の電源回路８４）は、カメラブロック１１の各部への電源の供給を停止する。即ち、カメラ用制御部２１は、カメラブロック１１の電源をオフにする。なお、このとき、必要に応じて、NVRAM２５に各種のデータを記憶してもよい。
【０１２３】
ステップＳ５６において、メイン制御部４１は、ステップＳ７６でカメラ用制御部２１から送信されてくるACK信号を受信する。ステップＳ５７において、例えば、ステップＳ５６でACK信号を受信してから所定の時間（例えば、カメラ用制御部２１が、ステップＳ７６でACK信号を送信してから、ステップＳ７７で各部への電源の供給を停止するまでの時間）経過後、メイン制御部４１は、電源供給部５０を制御し、カメラブロック１１の電源回路８４への電源の供給を停止する。
【０１２４】
以上のように、図１の記録再生装置１では、ユーザが操作部４２の操作を所定の時間行わない、即ち、表示部２４に画像を表示する必要がないとき、図９の記録処理後に、図１０の電源オフ処理が行われ、カメラブロック１１の電源がオフされるので、表示部２４に画像を表示する必要がない場合の記録再生装置１の消費電力を抑えることができる。
【０１２５】
次に、図１１を参照して、図１の記録再生装置１が、カメラブロック１１の表示部２４の表示をオンする表示オン処理を説明する。この表示オン処理は、例えば、表示部２４の表示がオフされている場合に、ユーザが操作部４２の操作を行ったとき、開始される。
【０１２６】
ステップＳ９１において、メイン制御部４１は、電源供給部５０を制御し、カメラブロック１１のカメラ用制御部２１の電源回路８４（図２）へ電源を供給し、ステップＳ９２に進む。ステップＳ９２において、メイン制御部４１は、制御線１１０（図２）を介して、WAKE信号をカメラ用制御部２１に送信する。
【０１２７】
ステップＳ１２１において、カメラ用制御部２１は、ステップＳ９１でメイン制御部４１から送信されてくるWAKE信号を受信する。そして、カメラ用制御部２１（の電源回路８４）は、カメラブロック１１の各部へ電源を供給し、ステップＳ１２２に進む。ステップＳ９３乃至Ｓ９６の処理、およびステップＳ１２２乃至Ｓ１２５の処理は、それぞれ、図９のステップＳ１１乃至Ｓ１４の処理、およびステップＳ３１乃至Ｓ３４の処理と同様であるので、説明は省略する。
【０１２８】
ステップＳ９７において、メイン制御部４１は、カメラブロック１１における表示に関する初期化を行うように指示するコマンドパケット(以下、表示初期化コマンドパケットという)を、シリアルバス７１のデータバス１０２を介して、SCK信号に同期して、カメラ用制御部２１に送信し、ステップＳ９８に進む。
【０１２９】
ここで、カメラブロック１１における初期化には、バッファ２３の初期化(クリア)などの表示に関する初期化と、キャリブレーション、バッファ２３の初期化、表示部２４へスルー画像を表示させるための露出補正などの撮像に関する初期化とがある。表示オン処理では、表示部２４の表示がオンされるだけで、撮像は行われないので、メイン制御部４１は、表示に関する初期化のみを行うように指示する表示初期化コマンドパケットを送信する。
【０１３０】
ステップＳ１２６において、カメラ用制御部２１は、ステップＳ９７でメイン制御部４１から送信されてくる表示初期化コマンドパケットを、SCK信号に同期して受信し、SCK信号のメイン制御部４１への送信を終了して、ステップＳ１２７に進む。ステップＳ１２７において、カメラ用制御部２１は、ACK信号を、割り込み線１０６を介して、メイン制御部４１に送信し、ステップＳ１２８に進む。
【０１３１】
ステップＳ９８において、ステップＳ１２７でカメラ用制御部２１から送信されてくるACK信号を受信し、ステップＳ９９に進む。
【０１３２】
ステップＳ１２８において、カメラ用制御部２１は、表示初期化コマンドパケットに対応する処理として、表示に関する初期化を行い、ステップＳ１２９に進む。
【０１３３】
ステップＳ９８において、メイン制御部４１は、ステップＳ１２７で送信されてくるACK信号を受信し、ステップＳ９９に進む。
【０１３４】
ステップＳ１２９乃至Ｓ１３１の処理、およびステップＳ９９乃至Ｓ１０１の処理は、それぞれ、図９のステップＳ３７乃至Ｓ３９の処理、およびステップＳ１７乃至Ｓ１９の処理と同様であるので、説明は省略する。
【０１３５】
ステップＳ１３２において、カメラ用制御部２１は、表示初期化コマンドパケットに対応する処理として、カメラブロック１１における表示に関する初期化を行う処理を終了したことを表すリザルトパケットを、データバス１０２を介して、メイン制御部４１に送信する。
【０１３６】
ステップＳ１０２において、メイン制御部４１は、ステップＳ１３２でカメラ用制御部２１から送信されてくるリザルトパケットを受信し、ステップＳ１０３に進む。ステップＳ１０３において、メイン制御部４１は、ACK信号を、割り込み線１０５を介して、カメラ用制御部２１に送信し、処理を終了する。
【０１３７】
ステップＳ１３３において、カメラ用制御部２１は、ステップＳ１０３でメイン制御部４１から送信されてくるACK信号を受信し、処理を終了する。
【０１３８】
次に、図１２を参照して、図１の記録再生装置１が、図１１の表示オン処理後に、表示部２４に、表示をオフする前に表示していた画像（直前の図９のステップＳ２３でディスク６０に記録された画像データ）を表示させる画像表示処理を説明する。
【０１３９】
ステップＳ１４１乃至Ｓ１４４の処理、およびステップＳ１７１乃至Ｓ１７４の処理は、それぞれ、図９のステップＳ１１乃至Ｓ１４の処理、およびステップＳ３１乃至Ｓ３４の処理と同様であるので、説明は省略する。
【０１４０】
ステップＳ１４５において、メイン制御部４１は、自分自身に伴って送信されてくる画像データに対応する画像の表示部２４への表示を指示する送信画像表示コマンドパケットを、シリアルバス７１のデータバス１０２を介して、SCK信号に同期して、カメラ用制御部２１に送信し、ステップＳ１４６に進む。
【０１４１】
ステップＳ１７５において、カメラ用制御部２１は、ステップＳ１４５でメイン制御部４１から送信されてくる送信画像表示コマンドパケットを受信し、SCK信号のメイン制御部４１への送信を終了して、ステップＳ１７６に進む。ステップＳ１７６において、カメラ用制御部２１は、ACK信号を、割り込み線１０６を介して、メイン制御部４１に送信し、ステップＳ１７７に進む。
【０１４２】
ステップＳ１４６において、メイン制御部４１は、ステップＳ１７６でカメラ用制御部２１から送信されてくるACK信号を受信し、ステップＳ１４７に進む。ステップＳ１４７において、メイン制御部４１は、ACK信号を、割り込み線１０５を介して、カメラ用制御部２１に送信し、ステップＳ１４８に進む。
【０１４３】
ステップＳ１７７において、カメラ用制御部２１は、ステップＳ１４７でメイン制御部４１から送信されてくるACK信号を受信し、ステップＳ１７８に進む。ステップＳ１７８において、カメラ用制御部２１は、クロックバス１０１を介するメイン制御部４１へのSCK信号の送信を開始し、ステップＳ１７９に進む。
【０１４４】
ステップＳ１４８において、メイン制御部４１は、ステップＳ１７８でカメラ用制御部２１から送信されてくるSCK信号を受信しながら、ステップＳ１４９において、記録再生部４８を制御し、ディスク６０から、図９のステップＳ２３で記録した画像データ、即ちカメラブロック１１の電源がオフされる前に表示部２４に表示されていた画像に対応する画像データを読み出し、バッファ４９に記憶させる。そして、メイン制御部４１は、記録再生部４８を制御して、バッファ４９から、その画像データを読み出し、その画像データをパケット化する。メイン制御部４１は、そのパケット化した画像データを、画像コマンドデータパケットとして、データバス１０２を介して、カメラ用制御部２１に、SCK信号に同期して送信し、ステップＳ１５０に進む。
【０１４５】
ステップＳ１７９において、カメラ用制御部２１は、ステップＳ１４９でメイン制御部４１から送信されてくる画像コマンドデータパケットを、SCK信号に同期して受信し、SCK信号のメイン制御部４１への送信を終了して、ステップＳ１８０に進む。
【０１４６】
ステップＳ１５０において、メイン制御部４１は、すべてを送信したかどうか、即ち図９のステップＳ２３で記録したすべての画像データをパケット化して、画像コマンドデータパケットとして送信したかどうかを判定する。ステップＳ１５０において、すべてを送信していないと判定した場合、ステップＳ１４７に戻り、メイン制御部４１は、上述した処理を繰り返す。一方、ステップＳ１５０において、すべてを送信したと判定した場合、ステップＳ１５１に進む。
【０１４７】
ステップＳ１８０において、カメラ用制御部２１は、すべてを受信したかどうか、即ちメイン制御部４１から、図９のステップＳ２３で記録したすべての画像データに対応する画像コマンドデータパケットを受信したかどうかを判定し、すべてを受信していないと判定した場合、ステップＳ１７７に戻り、上述した処理を繰り返す。
【０１４８】
一方、ステップＳ１８０において、すべてを受信したと判定された場合、ステップＳ１８１に進み、カメラ用制御部２１は、送信画像表示コマンドパケットに対応する処理として、画像コマンドデータパケットの画像データに対応する画像を、表示部２４に表示させる。その後、カメラ用制御部２１は、送信画像表示コマンドパケットに対応する処理として、表示部２４に画像コマンドデータパケットに対応する画像を表示させる処理を終了したことを表すリザルトパケットを送信するため、REQ信号を、割り込み線１０４を介してメイン制御部４１に送信し、シリアルバス７１によるシリアル通信の確立を要求する。
【０１４９】
ここで、図１１で説明したように、表示オン処理では、カメラ用制御部２１が、表示に関する初期化のみを行い、一般的に、多くの時間を要する撮像に関する初期化を行わないので、図１１の表示オン処理後に行われる図１２のステップＳ１８１で表示部２４に画像を表示するまでの時間、即ち表示を復帰するまでの時間を、短縮することができる。また、撮像に関する初期化を行うときに必要な電力が不要となり、カメラブロック１１の消費電力を抑えることができる。
【０１５０】
なお、カメラ用制御部２１は、すべての画像コマンドデータパケットを受信した後に、すべての画像コマンドデータパケットに対応する画像を、表示部２４に表示させるのではなく、ステップＳ１７９で画像コマンドデータパケットを受信するごとに、その画像コマンドデータパケットに対応する画像を、表示部２４に表示させるようにすることもできる。
【０１５１】
ステップＳ１５１において、メイン制御部４１は、ステップＳ１８１でカメラ用制御部２１から送信されてくるREQ信号を受信し、ステップＳ１５２に進む。ステップＳ１５２において、メイン制御部４１は、割り込み線１０５を介して、ACK信号をカメラ用制御部２１に送信し、ステップＳ１５３に進む。
【０１５２】
ステップＳ１８２において、カメラ用制御部２１は、ステップＳ１５２でメイン制御部４１から送信されてくるACK信号を受信し、ステップＳ１８３に進む。ステップＳ１８３において、カメラ用制御部２１は、クロックバス１０１を介して、メイン制御部４１へのSCK信号の送信を開始し、ステップＳ１８４に進む。ステップＳ１８４において、カメラ用制御部２１は、送信画像表示コマンドパケットに対応する処理として、表示部２４に画像コマンドデータパケットに対応する画像を表示させる処理を終了したことを表すリザルトパケットを、データバス１０２を介して、SCK信号に同期して、メイン制御部４１に送信し、ステップＳ１８５に進む。
【０１５３】
ステップＳ１５３において、メイン制御部４１は、ステップＳ１８３でカメラ用制御部２１から送信されてくるSCK信号を受信しながら、ステップＳ１５４において、ステップＳ１８４でカメラ用制御部２１から送信されてくるリザルトパケットを受信し、ステップＳ１５５に進む。ステップＳ１５５において、メイン制御部４１は、ACK信号を、割り込み線１０５を介して、カメラ用制御部２１に送信する。
【０１５４】
ステップＳ１８５において、カメラ用制御部２１は、ステップＳ１５５でメイン制御部４１から送信されてくるACK信号を受信し、SCK信号のメイン制御部４１への送信を終了し、処理を終了する。
【０１５５】
次に、図１３を参照して、図１の記録再生装置１が、カメラブロック１１の表示部２４に、NVRAM２５に記憶されている固定画像データの画像を表示する固定画像表示処理を説明する。
【０１５６】
ステップＳ２０１乃至Ｓ２０４の処理、およびステップＳ２２１乃至Ｓ２２４の処理は、それぞれ、図９のステップＳ１１乃至Ｓ１４の処理、およびステップＳ３１乃至Ｓ３４の処理と同様であるので、説明は省略する。
【０１５７】
ステップＳ２０５において、メイン制御部４１は、NVRAM５１に記憶されている固定画像データ関連情報２１１乃至２１３(図８)に基づいて、表示対象の固定画像データが記憶されているNVRAM２５上のアドレスなどを指定し、その固定画像データに対応する画像の表示を指示するNVRAM画像表示コマンドパケットを、データバス１０２を介して、SCK信号に同期して、カメラ用制御部２１に送信する。例えば、アイコンデータ１８１に対応するアイコンを表示部２４に表示させる場合、メイン制御部４１は、図８の固定画像データ関連情報２１１に基づいて、項目「先頭アドレス」と「表示位置」に対応する情報(図８の例の場合「００００」と「0,32」)を指定したNVRAM画像表示コマンドパケットを送信する。
【０１５８】
ステップＳ２２５において、カメラ用制御部２１は、ステップＳ２０５でメイン制御部４１から送信されてくるNVRAM画像表示コマンドパケットを、SCK信号に同期して受信する。そして、カメラ用制御部２１は、NVRAM画像表示コマンドパケットで指定された先頭アドレスなどに基づいて、NVRAM２５から所定の固定画像データを読み出し、その固定画像データに対応する画像を、表示部２４に表示させる。
【０１５９】
例えば、メイン制御部４１から、固定画像データ関連情報２１１の項目「先頭アドレス」と「表示位置」に対応する情報を指定したNVRAM画像表示コマンドパケットが送信されてくる場合、カメラ用制御部２１は、先頭アドレスが「００００」のアイコンデータ１８１を読み出し、データサイズ１９１、画枠サイズ１９２、およびレイヤ１９３に基づいて、NVRAM画像表示コマンドパケットで指定されている表示位置である座標[0,32]に、画像データ１９４に対応するアイコンを表示させる。
【０１６０】
このように、固定画像データを表示部２４に表示させる場合、メイン制御部４１は、NVRAM画像表示コマンドパケットを送信するだけでよく、固定画像データを送信する必要がない。従って、表示部２４に固定画像データを表示させるまでの時間を短縮することができる。
【０１６１】
ステップＳ２２６乃至Ｓ２２９、およびステップＳ２０６乃至Ｓ２０９の処理は、図９のステップＳ３６乃至Ｓ３９、およびステップＳ１６乃至Ｓ１９の処理と同様であるので、説明は省略する。
【０１６２】
ステップＳ２３０において、カメラ用制御部２１は、NVRAM画像表示コマンドパケットに対応する処理として、NVRAM２５に記憶されている固定画像データに対応する画像を、表示部２４に表示させる処理を終了したことを表すリザルトパケットを、SCK信号に同期して、データバス１０２を介して、メイン制御部４１に送信し、ステップＳ２３１に進む。
【０１６３】
ステップＳ２１０において、メイン制御部４１は、ステップＳ２３０でカメラ用制御部２１から送信されてくるリザルトパケットを受信し、ステップＳ２１１に進む。ステップＳ２１１において、メイン制御部４１は、ACK信号を、割り込み線１０５を介して、カメラ用制御部２１に送信し、処理を終了する。
【０１６４】
ステップＳ２３１において、カメラ用制御部２１は、ステップＳ２１１でメイン制御部４１から送信されてくるACK信号を受信し、処理を終了する。
【０１６５】
以上のように、図１の記録再生装置１では、複数回表示される可能性が高い画像に対応する固定画像データを、カメラブロック１１のNVRAM２５に記憶させるようにしたので、表示を停止した後、表示を復帰させる場合に、記録再生ブロック１２からカメラブロック１１に送信する画像データを削減し、表示の復帰までの時間を短縮することができる。即ち、表示の復帰を高速化することができる。
【０１６６】
なお、固定画像データとして、NVRAM２５に、楽曲のアルバムごとに異なるジャケット写真の画像データを記憶するようにすることもできる。この場合、例えば、ユーザが操作部４２（図１）を操作して、再生する楽曲を指示したとき、メイン制御部４１は、その楽曲のアルバムのジャケット写真の画像の画像データを、カメラ用制御部２１に送信し、NVRAM２５に記憶させる。即ち、メイン制御部４１は、NVRAM２５を、ユーザの指示に応じて書き換える。
【０１６７】
また、図７に示したNVRAM２５に記憶されるアイコンデータ１８１は、データサイズ１９１、画枠サイズ１９２、およびレイヤ１９３の他に、表示部２４に対するアイコンデータ１８１に対応するアイコンの表示位置などを含むようにすることもできる。この場合、メイン制御部４１から送信するNVRAM画像表示コマンドパケットでは、先頭アドレスのみを指定すればよいので、メイン制御部４１から送信するNVRAM画像表示コマンドパケットのデータの量を削減し、NVRAM画像表示コマンドパケットを高速で送信することが可能となる。
【０１６８】
しかしながら、NVRAM２５に記憶されるデータの量は、図７の場合に比べて多くなる。従って、NVRAM画像表示コマンドパケットを高速で送信することが必要であり、NVRAM２５の記憶容量が大きい場合、アイコンデータ１８１に、対応するアイコンの表示位置などを含ませることが望ましい。なお、このことは、アニメーション画像データ１８２や背景画像データ１８３においても同様である。
【０１６９】
さらに、図８に示したNVRAM５１に記憶される固定画像データ関連情報２１１は、項目「先頭アドレス」、「属性」、および「表示位置」に対応する情報の他に、アイコンデータ１８１に対応する画像の画枠サイズ、アイコンデータ１８１に対応する画像を表示するレイヤなどを含むようにすることもできる。この場合、NVRAM２５に画枠サイズ１９２やレイヤ１９３を記憶する必要がなくなり、NVRAM２５のデータの量を、図７の場合に比べて少なくすることができる。
【０１７０】
しかしながら、メイン制御部４１から送信するNVRAM画像表示コマンドパケットでは、項目「先頭アドレス」および「表示位置」に対応する情報の他に、画枠サイズやレイヤを指定する必要があるので、メイン制御部４１から送信するNVRAM画像表示コマンドパケットのデータの量は多くなり、NVRAM画像表示コマンドパケットの送信が低速化する。従って、NVRAM２５の記憶容量が小さく、画像表示コマンドパケットの送信が低速であってもよい場合、固定画像データ関連情報２１１に、画枠サイズやレイヤなどを含ませることが望ましい。なお、このことは、固定画像データ関連情報２１２や２１３においても同様である。
【０１７１】
上述した一連の処理は、ハードウエアにより実行させることもできるが、ソフトウエアにより実行させることができる。
【０１７２】
この場合、記録再生装置は、例えば、図１４に示されるようなパーソナルコンピュータにより構成される。
【０１７３】
図１４に示されるように、CPU４０１は、ROM（Read Only Memory）４０２に記録されているプログラム、またはハードディスク４０６からRAM（Random Access Memory）４０３にロードされたプログラムに従って各種の処理を実行する。RAM４０３にはまた、CPU４０１が各種の処理を実行する上において必要なデータなども適宜記憶される。
【０１７４】
図１４において、CPU４０１が、上述した図１のメイン制御部４１に相当し、ROM４０２、RAM４０３、および、ハードディスク４０８が、上述したNVRAM５１やバッファ４９に相当することになる。
【０１７５】
なお、CPU４０１、ROM４０２、およびRAM４０３は、バス４０４を介して相互に接続されている。このバス４０４にはまた、入出力インタフェース４０５も接続されている。
【０１７６】
入出力インタフェース４０５には、ハードディスク４０６、表示部２４、操作部４２、スピーカ４６、マイク４７、モデム、ターミナルアダプタなどより構成される通信部４０７、被写体を撮像したり、その結果得られる画像を表示部２４に表示させる撮像部４０８が接続されている。ここで、撮像部４０８は、上述した図１のカメラ用制御部２１、撮像部２２、バッファ２３、およびNVRAM２５に相当することになる。通信部４０７は、インターネットを含むネットワークを介して他の情報処理装置との通信処理を行う。
【０１７７】
入出力インタフェース４０５にはまた、必要に応じて、ドライブ４０９が接続され、磁気ディスク、光ディスク、光磁気ディスク、或いは半導体メモリなどよりなるリムーバブル記録媒体４１０が適宜装着され、それらから読み出されたコンピュータプログラムが、必要に応じてハードディスク４０６にインストールされる。
【０１７８】
即ち、ドライブ２１０が、上述した図１の記録再生部４８に相当し、リムーバブル記録媒体２１１が、上述した図１のディスク６０に相当することになる。
【０１７９】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１８０】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【図面の簡単な説明】
【０１８１】
【図１】本発明を適用した記録再生装置の一実施の形態の構成例を示すブロック図である。
【図２】図１のカメラ用制御部とメイン制御部の詳細構成例を示す図である。
【図３】図１のカメラブロック（のカメラ用制御部）と記録再生ブロック（のメイン制御部）との間のシリアル通信によるデータの授受を説明する図である。
【図４】図１のカメラ用制御部がNVRAMに記憶されている固定画像データを、表示部に表示する処理について説明する図である。
【図５】図１の記録再生ブロックでディスクに記録されている楽曲のデータが再生されている場合に、カメラブロック１１の表示部２４に表示される画像の例を示す図である。
【図６】図１のカメラブロックの撮像部で被写体を撮像する場合に、表示部に表示される画像の例を示す図である。
【図７】図１のNVRAMに記憶されている固定画像データのフォーマットの例を示す図である。
【図８】図１の記憶部に記憶されている固定画像データ関連情報の例を示す図である。
【図９】図１の記録再生装置が、カメラブロックの表示部に表示されている画像の画像データを、記録再生ブロックのディスクに記録する記録処理を説明するアローチャートである。
【図１０】図１の記録再生装置が、図９の記録処理後にカメラブロックの電源をオフにする電源オフ処理を説明するアローチャートである。
【図１１】図１の記録再生装置が、カメラブロックの表示部の表示をオンする表示オン処理を説明するアローチャートである。
【図１２】図１の記録再生装置が、図１１の表示オン処理後に、表示部に、表示をオフする前に表示していた画像を表示させる画像表示処理を説明するアローチャートである。
【図１３】図１の記録再生装置が、カメラブロックの表示部に、NVRAMに記憶されている固定画像データの画像を表示する固定画像表示処理を説明するアローチャートである。
【図１４】本発明を適用したコンピュータの一実施の形態の構成例を示すブロック図である。
【符号の説明】
【０１８２】
１  記録再生装置，  １１  カメラブロック，  １２  記録再生ブロック，  ２１  カメラ用制御部，  ２２  撮像部，  ２３  バッファ,  ２４  表示部,  ２５  NVRAM,  ４１  メイン制御部,  ４２  操作部,  ４３  USBI/F,  ４４  オーディオ信号処理部,  ４５  オーディオ入出力部,  ４６  スピーカ,  ４７  マイク,  ４８  記録再生部,  ４９  バッファ,  ５０  電源供給部,  ５１  NVRAM,  ５２  バッファ,  ６０  ディスク,  ７１  シリアルバス,  ８４  電源回路,  ４０１  CPU,  ４０２  ROM,  ４０３  RAM,  ４０６  ハードディスク,  ４０８  撮像部,  ４０９  ドライブ,  ４１０  リムーバブル記録媒体
【図１】
2006133553.tif 000003
【図２】
2006133553.tif 000004
【図３】
2006133553.tif 000005
【図４】
2006133553.tif 000006
【図５】
2006133553.tif 000007
【図６】
2006133553.tif 000008
【図７】
2006133553.tif 000009
【図８】
2006133553.tif 000010
【図９】
2006133553.tif 000011
【図１０】
2006133553.tif 000012
【図１１】
2006133553.tif 000013
【図１２】
2006133553.tif 000014
【図１３】
2006133553.tif 000015
【図１４】
2006133553.tif 000016